(57)【特許請求の範囲】
【請求項１】
マンホールに接続される小口径浸透管の入口に設けられるフィルター構造に於いて、前記小口径浸透管の入口部に嵌入し得る筒体の前部にガイド枠を取付けてなる枠体と、該枠体のガイド枠内に摺動自在に挿入し得る周面に複数の小穴或いは網目が設けられたフィルターケースと、該フィルターケース内に収納し得るフィルターエレメントとより構成されたマンホールに接続される小口径浸透管のフィルター構造。
【請求項２】
前記フィルターケースの上部に柄を取付けて構成したことを特徴とした請求項１のマンホールに接続される小口径浸透管のフィルター構造。
【請求項３】
前記フィルターケースを半球形状に形成したことを特徴とした請求項１又は請求項２のマンホールに接続される小口径浸透管のフィルター構造。
【請求項４】
前記枠体のガイド枠の上部開口部をマンホールの中心方向に徐々に開脚し、前記フィルターケースの所定位置に該ガイド枠の上部開口部内に密接し得るガイド突起を設けて構成したことを特徴とした請求項１乃至請求項３のいずれか１項に記載のマンホールに接続される小口径浸透管のフィルター構造。
【発明の詳細な説明】
【０００１】
【発明の属する技術分野】
本発明はマンホール及びます（以下マンホールという）に接続される小口径浸透管のフィルター構造に係り、特に８００ｍｍ以下の口径を持った人が出入りしにくい小口径或いは中口径の浸透管（以下小口径浸透管という）の入口にフィルターエレメントを着脱自在に装着することが出来、該フィルターエレメントを洗浄したり或いは取り替えたりすることが簡単でかつ小口径浸透管及びその周りの砕石フィルターの中にゴミや土砂が浸入して堆積することを防止し得るマンホールに接続される小口径浸透管のフィルター構造に関するものである。
【０００２】
【従来の技術】
従来のこの種のマンホールに接続される小口径浸透管のフィルター構造としては、図１１及び図１２に示す如き構造のものが知られている。この構造のものは、浸透管５１が周側壁に接続されたマンホール５２に於いて、半球状のカップ型メッシュフィルター５３を浸透管５１の入口部５１ａに取付けたフィルター構造である。図中５４はカップ型メッシュフィルター５３に取付けられた柄である。
【０００３】
【発明が解決しようとする課題】
然るに、前述のカップ型メッシュフィルター５３を浸透管５１の入口部５１ａに取付ける構造のものは次のような多くの問題があった。（Ａ）カップ型メッシュフィルター５３を浸透管５１の入口部５１ａに安定した状態で簡単に取付固定することが困難である。（Ｂ）メッシュフィルター５３の表面に木葉等が付着すると目詰まり状態となり、通水性が非常に落ち、その結果マンホールから雨水のあふれることが生じる。
【０００４】
（Ｃ）正常な位置に正しく取付けられず、汚だく雨水が管内に浸入する。（Ｄ）メッシュフィルターに濾過機能が無いので浸透し、浸透管５１内或いはその周りの砕石フィルター内に土砂が堆積し、その結果地山の目詰まりが生じる。
【０００５】
（Ｅ）更に、このカップ型メッシュフィルター５３は多種類のものを用意することが困難であるために、比較的目のあらいもので兼用しなければならず、従って細かい小さな土砂等のゴミを完全に捕捉することが出来ない等の問題もあった。
【０００６】
一般に小口径の浸透管５１には、この中に人が入りにくいので、浸透管５１内やその周りの砕石フィルター層内に土砂が堆積した場合にはこの土砂を捕捉することが困難であるため、浸透管５１の入口でゴミや土砂を完全に捕捉する必要があるが、従来のフィルター構造では、この点に充分に考慮されていない問題があった。
【０００７】
最近になって、例えば実開昭６２−３１１６２号公報に示す如く、マンホールに接続された小口径浸透管の入口の周りに枠を設け、この枠内にフィルターを着脱自在に取付けた構造のマンホールも開発されているが、この技術は、マンホールの内周面に枠を取付けなければならず、作業性が悪い上に長年使用した場合には、枠が脱落する心配がある等の問題があった。また、この技術に於いても、細かい土砂等を充分に捕捉することが出来ず、小口径浸透管内及びその周囲の砕石フィルター層に土砂が堆積して浸透機能を害う問題があった。
【０００８】
本発明に係るマンホールに接続される小口径浸透管のフィルター構造は、前述の従来の問題点に鑑み開発された全く新しい技術であって、特にマンホールの周側壁に接続された浸透管の入口部に嵌入して取付けることが出来る枠体と、この枠体のガイド枠内に摺動自在に着脱することが出来るフィルターケースと、このフィルターケース内に収納し得るエレメントとよりなり、前記浸透管の入口部に安定して取付けることが出来、小口径浸透管内に侵入しようとする細かい土砂等のゴミもほぼ完全に捕捉することが出来、かつ使用中のメンテナンスが極めて容易なマンホールに接続される小口径浸透管のフィルター構造の技術を提供するものである。
【０００９】
【課題を解決するための手段】
本発明に係るマンホールに接続される小口径浸透管のフィルター構造は、前述の従来の問題点を根本的に改善した技術であって、その第１発明の要旨は、マンホールに接続される小口径浸透管の入口に設けられるフィルター構造に於いて、前記小口径浸透管の入口部に嵌入し得る筒体の前部にガイド枠を取付けてなる枠体と、該枠体のガイド枠内に摺動自在に挿入し得る周面に複数の小穴或いは網目が設けられたフィルターケースと、該フィルターケース内に収納し得るフィルターエレメントとより構成されたマンホールに接続される小口径浸透管のフィルター構造である。
【００１０】
前述の第１発明に於いては、枠体を浸透管の入口部に嵌入し得る筒体と、ガイド枠とで構成したので、前記筒体をマンホールの内部から浸透管の入口部に嵌入することによって、枠体を浸透管に簡単に取付固定することが出来る。また、枠体のガイド枠内にはフィルターケースを摺動自在に着脱することが出来る。
【００１１】
更に、フィルターケースにはフィルターエレメントを収納することが出来るので、このフィルターエレメントのみを取り出し洗浄して、不純物を除去して目詰まりを無くしたり、或いは古くなったフィルターエレメントは簡単に交換することが出来る。また、フィルターエレメントは目の細かい材質のものから目のあらい材質のものまで必要に応じて取り替えて使用することが可能である。
【００１２】
本発明に於いては、浸透管の入口部にフィルターエレメントを収納したフィルターケースを設けたので、木の葉等の大きなゴミの他に、小さな土砂、汚だく水等も完全に捕捉することが出来、これによって人が入りにくく清掃が困難な小口径の浸透管内及びこの浸透管の周りの砕石フィルター層内に土砂等が堆積されて浸透機能を阻害することを防止することが出来る。
【００１３】
本発明に係るマンホールに接続される小口径浸透管のフィルター構造の第２発明の要旨は、前記フィルターケースの上部に柄を取付けて構成したことを特徴とした浸透マンホールに於けるフィルター構造である。
【００１４】
前述の第２発明に於いては、フィルターケースの上部に柄を取付けて構成したので、この柄を持って引き上げることによってフィルターケースを枠体のガイド枠より容易に引き出すことが出来る。従って、フィルターケース内に収納したフィルターエレメントを簡単に取り出すことが出来る。特に柄の上部をマンホールの中心部側に傾斜させた場合には、柄の上部をマンホールの内周壁より離間させることが出来、これによって柄を保持し易くすることが出来る。
【００１５】
本発明に係るマンホールに接続される小口径浸透管のフィルター構造の第３発明の要旨は、前記フィルターケースを半球形状に形成したことを特徴とした第１発明又は第２発明のマンホールに接続される小口径浸透管のフィルター構造である。
【００１６】
前述の第３発明に於いては、小口径浸透管の入口に設けられるフィルターケース内に収納されるフィルターエレメントの有効体積が大きくなり、これによってフィルターの目詰まりを防止することが出来る。かつ良好な通水機能を長期間維持することが出来る。
【００１７】
本発明に係るマンホールに接続される小口径浸透管のフィルター構造の第４発明の要旨は、前記枠体のガイド枠の上部開口部をマンホールの中心方向に徐々に開脚し、前記フィルターケースの所定位置に該ガイド枠の上部開口部内に密接し得るガイド突起を設けて構成したことを特徴とした第１発明乃至第３発明のいずれかのマンホールに接続される小口径浸透管のフィルター構造である。
【００１８】
前述の第４発明に於いては、枠体のガイド枠の上部開口部をマンホールの中心部方向に徐々に開脚して構成したので、ガイド枠内にフィルターケースを傾斜させながら挿入することが出来る。従って、フィルターケースの上部をマンホールの中心部側に傾斜させることによって、そのマンホールの内壁面より離間させながら、スムーズに操作することが出来る。
【００１９】
また、フィルターケースの所定位置にはガイド突起を設けたので、フィルターケースが前記ガイド枠内に完全に挿入された際には、ガイド突起がガイド枠の上部開口部内に密接し、このガイド突起の作用で今迄傾斜した状態で挿入されつつあったフィルターケースを垂直に起立してセットすることが出来る。
【００２０】
【発明の実施の形態】
図により本発明に係るマンホールに接続される小口径浸透管のフィルター構造の一実施例を具体的に説明すると、図１（Ａ），（Ｂ），（Ｃ）は夫々本発明のフィルター構造の枠体を示す説明図、図２（Ａ），（Ｂ），（Ｃ），（Ｄ）は夫々本発明のフィルター構造のフィルターケース及びフィルターエレメントを示す説明図である。
【００２１】
図３（Ａ），（Ｂ）は前述のフィルター構造を浸透管の入口部に取付けた状態の説明図、図４（Ａ），（Ｂ）は第２実施例のフィルター構造を浸透管入口部に取付けた状態の説明図、図５は１個のマンホールに複数個のフィルター構造が取付けられた状態を示す横断面説明図、図６は第３実施例のフィルター構造を浸透管入口部に取付けた状態の縦断面図、図７（Ａ），（Ｂ）は図６の構成の要部の拡大説明図である。
【００２２】
図８は第４実施例のフィルター構造を示す側面簡略説明図、図９は図８のガイド枠を示す説明図、図１０は図８のフィルターケースを示す説明図である。
【００２３】
図１（Ａ），（Ｂ），（Ｃ）に於いて、１は枠体であって、後述の浸透管に嵌入し得る外径を持った円筒２と、この円筒２の前部に取付けられたガイド枠３とより構成されている。前記実施例では円筒２を用いたが、円筒に限定されるものではなく、浸透管の形状に対応する外形を持った筒体であればいずれの形状のものも使用出来る。
【００２４】
前記円筒２の外周面にはゴム筒４が取付けられており、円筒２を浸透管に嵌入した際に、このゴム筒４が浸透管の内周面に密接して嵌着し得るように構成されている。また、ガイド枠３は円筒２に固定された背板３ａと、断面コ状の両側枠３ｂと、底板３ｃとより構成され、ガイド枠３内には、後述のフィルターケースが摺動自在に挿入し得る如く構成されている。
【００２５】
図２（Ａ），（Ｂ），（Ｃ），（Ｄ）に於いて、５はフィルターケースであって、前記枠体１のガイド枠３内にその上部から摺動自在に挿入し得る寸法を有している。また、このフィルターケース５の前面及び後面には、多数の小穴５ａが穿設されている。フィルターケース５の上部中央には柄６が取付けられている。この柄６は、特に図２（Ｂ）に示すように約５度の傾斜角で前方に傾斜している。このフィルターケース５内には、特に図２（Ａ），（Ｄ）に示す如く、フィルターエレメント７が収納されている。フィルターケース５は全面に網目を有するメッシュ材で構成することも出来る。
【００２６】
前述のような構造を有する枠体１とフィルターケース５とフィルターエレメント７とよりなるフィルター構造を浸透マンホールの浸透管に取付ける状態について説明すると次の通りである。
【００２７】
即ち、図３（Ａ），（Ｂ）に於いて、８は浸透マンホールであって、その周側壁には口径が８００ｍｍ以下の人が出入りしがたい小口径の浸透管９が接続されている。この浸透管９の入口部９ａに前述のフィルター構造を構成するに当たっては、枠体１の円筒２を浸透マンホール８の内部より該浸透管９の入口部９ａに嵌入し、該円筒２を入口部９ａにゴム筒４を介して水密状に嵌着して枠体１を浸透マンホール８内に固定する。
【００２８】
次に、フィルターエレメント７が内部に収納されたフィルターケース５を、枠体１のガイド枠３の上部より挿入してフィルター構造を構成させることが出来る。また、フィルターケース５の上部には、柄６が取付けられているので、この柄６を持ってフィルターケース５を、ガイド枠３内に容易に出し入れすることが出来る。
【００２９】
フィルターケース５をガイド枠３内に出し入れし易くするために、前述の柄６は長くしたり、或いは既に説明したように柄６を前方に傾斜させ、その柄６の上端部を浸透マンホール８の内周壁より離して握り易くすることも可能である。フィルターケース５は前述のように上方のみならず、左右或いは下方のいずれからもガイド枠３に出し入れすることが出来るように構成することが出来る。
【００３０】
前記実施例に於いては、１個の浸透管９に対して夫々１個のフィルター構造を構成する場合の実施例について説明したが、図４（Ａ），（Ｂ）に示す如く、複数個の浸透管１０，１１，１２，１３に対して１個のフィルター構造で間に合わせるように構成することも出来る。
【００３１】
即ち、図４（Ａ），（Ｂ）に示す如く、浸透マンホール８の同一方向の周側壁に複数個の浸透管１０，１１，１２，１３が取付けられている場合には、これ等の浸透管１０，１１，１２，１３の入口部１０ａ，１１ａ，１２ａ，１３ａに嵌入し得る円筒２ａ，２ｂ，２ｃ，２ｄを持った枠体１ａを使用することによって、複数個の浸透管１０，１１，１２，１３に対して１個のフィルター構造で対応させることが出来る。
【００３２】
図５に示す構造に於いては、浸透マンホール８の３方向に夫々浸透管９，１０，１１を連設し、かつこれ等の浸透管９，１０，１１の入口部９ａ，１０ａ，１１ａに夫々本発明のフィルター構造を構成した態様を示している。従って、図５の実施例のような構成を採用した場合には、複数の浸透管１０，１１に対して１個のフィルター構造で対応することが出来、極めて経済的である。
【００３３】
本発明に係るフィルター構造は、前述の構造を有するので、枠体１，１ａの円筒２，２ａ，２ｂ，２ｃ，２ｄを夫々浸透管９，１０，１１，１２，１３の夫々の入口部９ａ．１０ａ，１１ａ，１２ａ，１３ａに、簡単かつ強固に嵌着して枠体１，１ａを固定することが出来る。また、この枠体１，１ａのスライド枠３内に、フィルターエレメント７を収納したフィルターケース５を摺動自在に収納することが出来る。
【００３４】
従って、フィルターケース５と共にフィルターエレメント７をフィルター構造より取り出して、洗浄したり、或いは取り替えることが簡単に出来る。かつフィルターエレメント７は必要に応じて、目の細かい材質のもの或いは目のあらい材質のもの等を選択して使用することが出来る。
【００３５】
本発明に使用されるフィルター構造は、図６及び図７（Ａ），（Ｂ）に示す如く、フィルターケース５を半球形状に形成して表面積を大きくし、かつこのフィルターケース５内に多量のフィルターエレメント７を収納し得るように構成し、これによってフィルターの有効体積を実質的に大きくして目詰まりを防止することも出来る。
【００３６】
前述のようにフィルターの有効体積を実質的に大きくするに当たっては、フィルターケース５を半球形状のみならず、フィルターケース５の周辺方向或いは軸方向に任意の形状で拡張して形成することが出来る。
【００３７】
前述の実施例に於ける構造では、フィルターケース５が浸透マンホール８の内周面に近接し、フィルターケース５を摺動して着脱する作業が困難になる問題がある。この点を考慮して本発明者等は、図８乃至図９に示すような構成のフィルター構造を開発した。
【００３８】
即ち、図８乃至図９に於いて、枠体１のガイド枠３の上部開口部はマンホールの中心方向に開脚されており、このガイド枠３内に挿入されるフィルターケース５をマンホールの中心方向に傾斜させ、これによってフィルターケース５の上部を浸透マンホール８の内周面から離して、フィルターケース５をガイド枠３内にスムーズに収納することが出来るように構成されている。
【００３９】
また、フィルターケース５は、図に示す如く、ガイド枠３の上下巾の約２倍の上下巾を持って形成されており、これによってフィルターの有効体積を大きくし、フィルターの濾過機能を拡大している。即ち、例えばガイド枠３より上方に露出した部分のフィルターケース５より浸入した水は、フィルターケース５内のフフィルターエレメント７を通過して濾過され、フィルターケース５の下部より円筒２内に浸出することが出来るような構造となっている。
【００４０】
フィルターケースのマンホール側面（表面）のほぼ中央両側には逆三角形状のガイド突起１４が取付けられており、このガイド突起１４がガイド枠３の上部開口部に密接し得るように構成されている。このガイド突起１４がガイド枠３の上部開口部に密接された場合には、今迄傾斜させながらガイド枠３内に挿入して来たフィルターケース５を垂直に戻し、フィルターケース５の上部を浸透マンホール８の内周面に近接することが出来る。
【００４１】
図８乃至図１０に示す実施例の場合には、フィルターケース５の上端に取付けられる柄６が逆Ｕ字形の小さな取手より構成されている。この実施例の場合には浸透マンホール８の入口より挿入されたカギ付棒（図示せず）を柄６に引っ掛けて操作することによって、フィルターケース５をガイド枠３内に着脱し得るように構成されている。
【００４２】
【発明の効果】
本発明に係る浸透マンホールに於けるフィルター構造は、前述のような構成と作用とを有するので、次のような多大な効果を有している。
【００４３】
（１）枠体の後部には円筒が設けられているので、この円筒を浸透管の入口に嵌入することによって、枠体を簡単に浸透管に取付固定することが出来る。（２）枠体の前部にはスライド枠が設けられているので、このスライド枠内にフィルターケースを摺動自在に挿入して取付けることが出来る。
【００４４】
（３）前記フィルターケースの周面に多数の穴が設けられていると共に、その内部にフィルターエレメントを収納出来るので、このフィルターケースによって大小のゴミのみならず極めて細かい土砂等も捕捉して除去することが出来る。（４）フィルターケースに収納されたエレメントは、それのみを簡単に取り出して洗浄したり、取り替えたりすることが出来る。
【００４５】
（５）従って、フィルターケース内に収納されるフィルターエレメントは目のあらい材質のもの或いは目の細かい材質のものに必要に応じて簡単に交換することが出来る。（６）フィルターケースに柄を取付けた場合には、スライド枠内へのフィルターケースの着脱を容易にすることが出来る。
【００４６】
（７）複数個の浸透管に対して１個のフィルター構造で対応することが出来、経済的に処理することが出来る。（８）フィルターケースを半球形状に形成し、フィルターケースの表面積とフィルターエレメントの量を大きくして体積を拡大した場合には、濾過機能を著しく向上させることが出来、目詰まりを防止することが出来る。
【００４７】
（９）本発明に係るフィルター構造を使用した場合には、従来のような大小のゴミを捕捉するのみならず、極めて細かい土砂、特に泥水内の微細な土まで捕捉することが出来、これによって人が管内に入って掃除をすることが困難な小口径浸透管内及びその周りの砕石フィルター層内にゴミや土砂が堆積されて浸透機能を阻害することを防止出来る。（１０）前述のようにガイド枠の上部開口部を徐々に開脚した場合には、フィルターケースをガイド枠内に傾斜させながらスムーズに挿入することが出来る。
【図面の簡単な説明】
【図１】図１（Ａ），（Ｂ），（Ｃ）は夫々本発明のフィルター構造の枠体を示す説明図である。
【図２】図２（Ａ），（Ｂ），（Ｃ），（Ｄ）は夫々発明のフィルター構造のフィルターケース及びフィルターエレメントを示す説明図である。
【図３】図３（Ａ），（Ｂ）は前述のフィルター構造を浸透管の入口部に取付けた状態の説明図である。
【図４】図４（Ａ），（Ｂ）は他例のフィルター構造を浸透管入口部に取付けた状態の説明図である。
【図５】１個のマンホールに複数個のフィルター構造が取付けられた状態を示す横断面説明図である。
【図６】第３実施例のフィルター構造を浸透管入口部に取付けた状態の縦断面図である。
【図７】図７（Ａ），（Ｂ）は図６の構成の要部の拡大説明図である。
【図８】第４実施例のフィルター構造を示す側面簡略説明図である。
【図９】図８のガイド枠を示す説明図である。
【図１０】図８のフィルターケースを示す説明図である。
【図１１】従来例のフィルター構造を示す説明図である。
【図１２】図８のフィルター構造を実施する状態の縦断面説明図である。
【符号の説明】
1,1a      枠体
2,2a,2b,2c,2d     円筒
３        ガイド枠
3a        背板
3b        両側枠
3c        底板
４        ゴム筒
５        フィルターケース
5a        小穴
６        柄
７        フィルターエレメント
８        浸透マンホール
9,10,11,12,13   浸透管
9a,10a,11a,12a,13a  浸透管の入口部
14        ガイド突起
51        浸透管
51a       浸透管の入口部
52        浸透マンホール
53        カップ型メッシュフィルター
54        柄
【図１】
0003898819.tif 000002
【図２】
0003898819.tif 000003
【図３】
0003898819.tif 000004
【図４】
0003898819.tif 000005
【図５】
0003898819.tif 000006
【図６】
0003898819.tif 000007
【図７】
0003898819.tif 000008
【図８】
0003898819.tif 000009
【図９】
0003898819.tif 000010
【図１０】
0003898819.tif 000011
【図１１】
0003898819.tif 000012
【図１２】
0003898819.tif 000013